(57)【要約】【課題】羽根が躯体や他方の引き違い戸と干渉することがない可動ルーバーを有する引き戸を提供する。【解決手段】引き戸本体１に開口された開口部１ａに嵌着された枠体５と、枠体５の縦枠５ａに両端のほぼ中央部が支軸７により回動自在に支承され、かつ引き戸本体１の見込み幅Ｗより幅狭な複数枚の羽根６と、各羽根６の先端側または後端側端面にピン９により枢着され、かつ羽根６を回動した際支軸７と干渉する位置に切り欠き８ｂが形成された連動リンク８とにより可動ルーバー４を形成したもので、可動ルーバー４の羽根６を開放方向へ回動した際、各羽根６の前後端部が引き戸本体１の前後面より外側へ突出することがないので、引き戸本体１を開閉しても、羽根６の先端が躯体や他方の引き違い戸と干渉することがない。【選択図】図２
0003112344.tif 000002
【実用新案登録請求の範囲】
【請求項１】
引き戸本体に開口された開口部に可動ルーバーが取り付けられた引き戸であって、前記開口部に嵌着された枠体と、前記枠体の縦枠に両端のほぼ中央部が支軸により回動自在に支承され、かつ前記引き戸本体の見込み幅より幅狭な複数枚の羽根と、前記各羽根の先端側または後端側端面にピンにより枢着され、かつ前記羽根を閉位置に回動した際前記支軸と干渉する位置に切り欠きが形成された連動リンクとにより前記可動ルーバーを形成したことを特徴とする引き戸。
【請求項２】
前記各羽根を木製とし、かつ羽根の両端面に前記連動リンクを枢着してなる請求項１に記載の引き戸。
【請求項３】
前記連動リンクをアルミニウム等の金属板により形成してなる請求項１または２に記載の引き戸。
【考案の詳細な説明】
【技術分野】
【０００１】
本考案は、可動ルーバーを有する引き戸に関する。
【背景技術】
【０００２】
従来住宅等の建造物に設けられた建具には、建具を開閉せずに換気ができるように建具の一部にルーバーを設けたものがあり、この種のルーバーの多くは、複数枚の羽根により形成されていて、これら羽根は枠体に両端側が固着されており、外から屋内を覗かれるのを防止するため、各羽根は予め傾斜されている。
しかし羽根が枠体に固定された固定式ルーバーは、各羽根の間に常に隙間が生じているため、建具により室内を密閉する場合、ルーバーを有する建具の外側または内側に別の建具を設ける必要があり、建具費用が嵩む等の問題がある。
【０００３】
かかる問題を解決するため、枠体に取り付けられた羽根を回動できるようにした可動式ルーバーを備えた建具が提案されている（例えば特許文献１）。
前記特許文献１に記載のルーバーの開閉装置は、ドアに設けられたガラリの縦枠に、複数枚のルーバーの両端を回転軸により回転自在に支承し、かつ各ルーバーの後縁部に設けられた駆動軸を可動枠の切欠部に嵌合したもので、可動枠を上下方向へ摺動させると、各ルーバーが連動して回転軸を中心に回動されるため、各ルーバーを任意な角度に保持したり、開閉することができるように構成されている。
【特許文献１】特開２００１−６５２６０号公報
【考案の開示】
【考案が解決しようとする課題】
【０００４】
しかし前記特許文献１に記載されたルーバーの開閉装置では、可動枠を引き下げてルーバーを開放した場合、各ルーバーの先端がドアの外側面より外側に突出してしまうため、ドアのような建具にこのルーバーを設けた場合には特に問題ないが、引き手や引き違い戸のように、戸が建物の躯体と摺れ違ったり、建具同士が摺れ違う建具の場合、建具の外側面より外側に突出したルーバーの先端が躯体や他方の建具と干渉してしまうことから、引き戸には採用できない等の問題がある。
本考案はかかる従来の問題を改善するためになされたもので、羽根が躯体や他方の引き違い戸を干渉することがない可動ルーバーを有する引き戸を提供することを目的とするものである。
【課題を解決するための手段】
【０００５】
本考案の引き戸は、引き戸本体に開口された開口部に、可動ルーバーが取り付けられた引き戸であって、開口部に嵌着された枠体と、枠体の縦枠に両端のほぼ中央部が支軸により回動自在に支承され、かつ引き戸本体の見込み幅より幅狭な複数枚の羽根と、各羽根の先端側または後端側端面にピンにより枢着され、かつ羽根を閉位置に回動した際支軸と干渉する位置に切り欠きが形成された連動リンクとにより可動ルーバーを形成したものである。
【０００６】
前記構成により、可動ルーバーの羽根を開放方向へ回動した際、各羽根の前後端部が引き戸本体の前後面より外側へ突出することがないので、この状態で引き戸本体を開閉しても、羽根の先端が躯体や他方の引き違い戸と干渉することがないため、引き戸に可動ルーバーを採用することが可能になると共に、可動ルーバーの各羽根を連動する連動リンクが表面に露出することがないため、体裁も大変よい。
また羽根を全閉にした際切り欠きにより連動リンクが支軸と干渉することがないため、幅を大きく設定した強度の大きい連動リンクが使用できるようになり、これによって可動ルーバーの耐久性が向上する。
【０００７】
本考案の引き戸は、各羽根を木製とし、かつ羽根の両端面に連動リンクを枢着したものである。
【０００８】
前記構成により、各羽根の両端部が連動リンクにより連動されているため、各羽根の回動がスムーズに行える上、木製羽根に狂いが生じるのを各連動リンクが規制するため、長期間使用していても、羽根の動きが悪くなったり、羽が捩れて外観が損なわれることがない。
【０００９】
本考案の引き戸は、連動リンクをアルミニウム等の金属板により形成したものである。
【００１０】
前記構成により、連動リンクの幅を狭くしても連続使用に耐える十分な強度が得られるため、枠体内の限られたスペース内にも容易に設置できる上、連動リンクが表面に露出することがないため、可動ルーバーの外観が損なわれることもない。
【考案の効果】
【００１１】
本考案の引き戸によれば、引き戸本体を開閉しても、羽根の先端が躯体や他方の引き違い戸と干渉することがないため、引き戸に可動ルーバーを採用することが可能になる。
【考案を実施するための最良の形態】
【００１２】
本考案の実施の形態を、図面を参照して詳述する。
図１は可動ルーバーの設けられた引き戸の正面図、図２は図１のＡ−Ａ線に沿う断面図、図３は図１のＢ−Ｂ線に沿う断面図、図４は可動ルーバーの分解斜視図、図５は同作用説明図である。
図１及び図２に示す引き戸本体１は、幅方向に離間し、かつ互に平行する一対の縦框２ａと、これら縦框２ａの上端部間及び下端部間を互いに連結する横框２ｂよりなる建具枠２と、この建具枠２の前後面に接着等の手段で固着された前後面板３とから構成されたフラッシュ構造となっており、引き戸本体１には、例えば４個所に木製の可動ルーバー４が上下及び左右に離間して設けられている。
引き戸本体１には、前後面板３に縦方向に長い長方形状の開口部１ａが４個所形成されていて、これら開口部１ａに図３及び図４に示すように、可動ルーバー４の枠体５が嵌着されている。
【００１３】
枠体５は、引き戸本体１の見込み幅Ｗとほぼ同幅の一対の縦枠５ａと、これら縦枠５ａの上端間及び下端間を連結する横枠５ｂとから形成されていて、横枠５ｂの対向面には、図３に示すように上側の横枠５ｂは後側に、そして下側の横枠５ｂは前側に段部５ｃが形成されている。
枠体５の各縦枠５ａの対向面には、上下方向に等間隔に軸孔５ｄが複数個穿設されていて、これら軸孔５ｄに羽根６の両端面に植設された支軸７が回動自在に嵌挿されている。
羽根６は、引き戸本体１の見込み幅Ｗよりやや幅が小さい断面が長方形状の木製板体により形成されていて、羽根６の１枚には、羽根６を回動する際に手を掛ける手掛け凹部（図示せず）が形成されている。
そして各羽６の両端面のほぼ中央に穿設された軸孔６ａに支軸７が植設されており、互に平行するように縦枠５ａの間に複数枚横架されていると共に、各羽根６の両端面には、後端側に小孔よりなるピン孔６ｂが穿設されていて、これらピン孔６ｂに連動リンク８のピン孔８ａより挿入した木ねじや釘等のピン９が嵌挿されている。
【００１４】
連動リンク８は、縦方向に細長い例えばアルミニウム等の金属板により形成されていて、縦枠５ａに穿設された軸孔５ｄと同じ間隔でピン孔８ａが長手方向に穿設されており、一方の側縁が各羽根６の先端より外側へ突出しないように、ピン９により各羽根６の両端に取り付けられていると共に、連動リンク８を上下動した際縦枠５ａの内側面と摺接するようになっている。
連動リンク８の他方の側縁には、ピン孔８ａのほぼ中間部に半円状の切り欠き８ｂが形成されていて、各羽根６を閉位置に回動した際、連動リンク８が支軸７と干渉しないようになっている。
【００１５】
次に前記構成された引き戸の作用を説明すると、引き戸本体１を単独で建屋の躯体（図示せず）に取り付けて引き戸として使用するか、躯体に複数枚取り付けて引き違い戸として使用する。
引き戸本体１に設けられた可動ルーバー４の各羽根６は、全閉状態では図５の（ａ）の示すように室外側端部が下方へ回動されていて、上側の羽根６の室内側端部が上側の横枠５ｂの段部５ｃに、そして下側の羽根６の室外側端部が下側の横枠５ｂの段部５ｃに当接され、かつ各羽根６の上下面同士が互に密着されているため、可動ルーバー４を密閉することができる。
また室内の換気を行う場合は、羽根６の１枚に形成した手掛け凹部を持って羽根６を下方へ回動する。
これによって両端側が連動リンク８により連動された各羽根６が支軸７を中心に回動されるため、所望の角度になったところで羽根６の回動を止めることにより、図５の（ｂ）に示すように各羽根６の間に隙間が発生し、これによって室内の換気が行えると共に、この状態では、傾斜する羽根６により視界が遮られるため、外から室内を覗かれる心配もない。
【００１６】
一方図５の（ｂ）の状態からさらに羽根６を開方向へ回動すると、図５の（ｃ）に示すように各羽根６がほぼ水平となって各羽根６が全開状態になるが、このとき各羽根６の前後端部が引き戸本体１の前後面より外側へ突出することがないので、この状態で引き戸本体１を開閉しても、羽根６の先端が躯体や他方の引き違い戸と干渉することがない。
【００１７】
なお前記実施の形態では、引き戸本体１の４個所に可動ルーバー４を設けた例について説明したが、図６に示すように引き戸本体１の上部や下部に１個所または複数個所可動ルーバー４を設けてもよく、図７に示すように引き戸本体１の縦框側に寄せて１個所または複数個所可動ルーバー４を設けるようにしてもよい。
また各可動ルーバー４の内側に網戸を設けて、蚊や蝿等の生活害虫が侵入するのを防止してもよいと共に、各羽根６の断面形状を、上下面が円弧状に湾曲する翼形状等にしても勿論よい。
【図面の簡単な説明】
【００１８】
【図１】本考案の実施の形態になる引き戸の正面図である。
【図２】図１のＡ−Ａ線に沿う断面図である。
【図３】図１のＢ−Ｂ線に沿う断面図である。
【図４】本考案の実施の形態になる引き戸に設けられた可動ルーバーの分解斜視図である。
【図５】本考案の実施の形態になる引き戸に設けられた可動ルーバーの作用説明図である。
【図６】本考案の実施の形態になる引き戸の変形例を示す正面図である。
【図７】本考案の実施の形態になる引き戸の変形例を示す正面図である。
【符号の説明】
【００１９】
１    引き戸本体
１ａ    開口部
４    可動ルーバー
５    枠体
５ａ    縦枠
６    羽根
７    支軸
８    連動リンク
８ｂ  切り欠き
９    ピン
Ｗ    見込み幅
【図１】
0003112344.tif 000003
【図２】
0003112344.tif 000004
【図３】
0003112344.tif 000005
【図４】
0003112344.tif 000006
【図５】
0003112344.tif 000007
【図６】
0003112344.tif 000008
【図７】
0003112344.tif 000009